(57)【要約】【課題】  本発明は掘削孔内に挿通した鋼製ケーシング管に集水部を設けてなる既存の井戸において、集水部が目詰りによって通水性不良となり、井戸水が停滞した際、上記目詰り固形物を遊離すると同時に停滞水及び目詰り固形物を上記ケーシング管内から地上に一度に揚水し、既存井の若返りを計るを目的とする。【解決手段】  掘削孔１内にケーシング管２を挿通し、該管２の集水部３から地下水５を集水する既存井６において、上記ケーシング管２の上記集水部３内水中に中空ロッド７を下降し、該ロッド７の下部から上記集水部３の内周面に向って超高圧水８及び圧力空気９を放出し、上記集水部３内の水を気泡１０と共に地上に上昇させることを特徴とする既存井における目詰り清掃法。【選択図】  図１
2006291467.tif 000002
【特許請求の範囲】
【請求項１】
掘削孔内にケーシング管を挿通し、該管の集水部から地下水を集水する既存井において、
上記ケーシング管の上記集水部内水中に中空ロッドを下降し、該ロッドの下部から上記集水部の内周面に向って超高圧水及び圧力空気を放出し、
上記集水部内の水を気泡と共に地上に上昇させることを特徴とする既存井における目詰り清掃法。
【請求項２】
上記集水部の外周に沿って砂礫材を配設した請求項１記載の既存井における目詰り清掃法。
【請求項３】
上記集水部を通過した水が集水部の外周に沿って上昇し、該水が集水部内に再度還流する請求項１又は２記載の既存井における目詰り清掃法。
【発明の詳細な説明】
【技術分野】
【０００１】
本発明は地下水位下に井戸孔を掘削し、鋼製ケーシング管を該井戸孔に挿入し、該ケーシング管の多孔集水部から地下水を集水するようにした既存の井戸において、多孔集水部（ストレーナー）の目詰りを清掃し、井戸内（上記ケーシング管内）への集水を回復する技術に関するものである。
【背景技術】
【０００２】
従来、地盤に掘削した深井戸の孔壁面に沿って集水用ストレーナーパイプを挿入し、ストレーナーを経て地下水を地上にポンプアップした（特許文献１）。
【０００３】
上記ストレーナー及び又はその外周に配設した砂礫層又は豆砂利が泥、砂又は水あか等で目詰りし井戸水が停滞し清水の湧出が不良となった場合、上記目詰りを洗浄除去し清水の湧出を促進する必要がある。
【０００４】
上記目詰りを防止し又は洗浄するため注水管の下端部からストレーナー内周面に高圧水を噴射して目詰りを除去し、目詰り固形物及び水は水中ポンプを用いて地上に揚水した（特許文献２）。
【０００５】
又上記水中ポンプに代り揚水管の内部に送気ホースを挿入し、揚水管内に進入した井戸水を該ホース下端から排出される上昇気泡によって地上に揚水する方法が用いられた（特許文献３）。
【０００６】
【特許文献１】特開平７−２７９５７２号
【特許文献２】特開２００１−１９３１０６号
【特許文献３】特開平７−２４７５５２号
【発明の開示】
【発明が解決しようとする課題】
【０００７】
本発明は掘削孔内に挿通した鋼製ケーシング管に集水部を設けてなる既存の井戸において、集水部が目詰りによって通水性不良となり、井戸水が停滞した際、上記目詰り固形物を遊離すると同時に停滞水及び目詰り固形物を上記ケーシング管内から地上に一度に揚水し、既存井の若返りを計るを目的とする。
【課題を解決するための手段】
【０００８】
上記の目的を達成するため本発明は
第１に掘削孔内にケーシング管を挿通し、該管の集水部から地下水を集水する既存井において、上記ケーシング管の上記集水部内水中に中空ロッドを下降し、該ロッドの下部から上記集水部の内周面に向って超高圧水及び圧力空気を放出し、上記集水部内の水を気泡と共に地上に上昇させることを特徴とする既存井における目詰り清掃法、
第２に上記集水部の外周に沿って砂礫材を配設した上記第１発明記載の既存井における目詰り清掃法、
第３に上記集水部を通過した水が集水部の外周に沿って上昇し、該水が集水部内に再度還流する上記第１又は第２発明記載の既存井における目詰り清掃法、
によって構成される。
【０００９】
従って上記集水部から上記ケーシング管内に地下水が進入しようとしても目詰りのため進入率不良で井戸水は停滞している。
【００１０】
そこで地上から上記ケーシング管の集水部内に中空ロッドを下降し、下端部から超高圧水及び圧力空気を集水部内周面に同時に放出させる。
【００１１】
このようにすると超高圧水及び圧力空気が集水部の目詰り固形物を集水部と井戸の掘削壁との間に遊離し、遊離した固形物は上記圧力水及び圧力空気の気泡に伴って集水部の内外を上昇し、外側上昇水は再び上記集水部内に還流する。
【００１２】
上記集水部の内部では還流した超高圧水及び上記気泡の上昇流が発生し、それに伴って遊離固形物も上昇し、地上に排出される動作が行われ、かつ集水部は通水性を回復する。
【発明の効果】
【００１３】
本発明ではケーシング管による上記既存井における集水部の目詰り固形物を、超高圧水を通過させることによって遊離させ、
井戸内の気泡による上昇流内に還流し得て停滞した井戸水を活性化することができる。
【発明を実施するための最良の形態】
【００１４】
地上１２から地盤１３内に井戸掘削孔１（直径約１５０〜３００ｍｍ＋α）を掘削し、これに径約１００〜３００ｍｍのケーシング管２を挿入し、該管２と孔壁との間（αｍｍ部分）に砂礫（豆砂利）材４を挿入し、かつ該管２に集水孔３’を穿設して集水部（ストレーナー）３を形成し、その直後から既存井となる。
【００１５】
集水孔３’は上記ケーシング管２の全長に亘って穿設し、又は該管２の下端部に集合させて、全長又は下端部に集水部（ストレーナー）３を形成する。
【００１６】
上記ケーシング管２の深さは地下水５の水位下数ｍであり、地下水５が砂礫材４から集水部３を通過してケーシング管２内に進入し、井戸水５’を貯留する（図３）。
【００１７】
上記井戸水５’は集水部３の集水孔３’や砂礫材４の間隙４’（図１）が泥、砂又は水あか等で詰り、通水性が無くなると、ケーシング管２内の井戸水５’は停滞し、飲料水には適用されない状態の既存井６となる。
【００１８】
この状態の既存井６において、地上１２に配設したボーリング機１４の回動及び摺動装置１４’によって回動自在及び上下方向摺動自在に中空ロッド７を支持し、上記ケーシング管２の集水部（ストレーナー）３内に該中空ロッド７を下降させる。
【００１９】
中空ロッド７の下端は上記既存井６の孔底面６’に接する程度に上記既存井６の井戸水５’内に推進し、その位置において該中空ロッド７は中心線ｃの回りに上記ボーリング機１４によって矢印ａ方向に回動させる（図３）。
【００２０】
上記中空ロッド７の上端に設けたスイベル（ｓｗｉｖｅｌ）７’を昇降自在懸垂フック１５によって懸垂支持し、ボーリング機１４の上記回動及び摺動装置１４’を介して上記中空ロッド７を矢印ａ方向に回動させることができることは上述のとおりである。
【００２１】
上記スイベル７’に設けた受入口１６，１６には図２に示すように超高圧水ポンプＰを経て水槽１７を配管１８によって接続し、他の受入口１９には圧気装置（エアコンプレッサ）ＡをレシーバＲを介して配管２０によって接続する。
【００２２】
スイベル７’は図４に示すように受入口１６，１６に接続する２重送水部１６’，１６’を形成し、受入口１９に接続する送気部２１を形成し、中空ロッド７には上記２重送水部１６’，１６’及び上記送気部２１に接続する２重送水部１６”，１６”及び送気部２１’が形成される。
【００２３】
中空ロッド７の上記２重送水部１６”，１６”は下端部において超高圧水ノズル２２，２２に接続し、送気部２１’は下端部に設けた圧気ノズル２３に接続し、
超高圧水ノズル２２，２２から水圧１００〜４００ｋｇ／ｃｍ２の超高圧水８を集水部３の内面に向って放出又は噴出させることができ、上記水圧は既存井６の水深によって適宜決定する。
【００２４】
又圧気ノズル２３から上記水深の水圧より強い圧力空気９を上記超高圧水８と同時に集水部３の内面に向って放出又は噴出させる。
【００２５】
上記放出超高圧水８は集水部３の集水孔３’や砂礫材４の間隙４’を閉塞している目詰り固形物を集水部３の内側から外側又は内側から砂礫材４側に押圧遊離し、遊離した上記固形物は集水部３の集水孔３’の外側又は砂礫材４の上記間隙４’間を上昇する。
【００２６】
その状態において圧気ノズル２３から放出された圧気９は上記集水孔３’から砂礫材４の間隙４’内に矢印ｂ方向に進入し上昇する。そして集水部３の内面及びケーシング管２の内面に沿って気泡１０となって水中を上昇し、上昇流１１を形成する（図１）。
【００２７】
この上昇流１１は圧気ノズル２３から放出される上記気泡１０の上昇によって、所謂空気ポンプ現象として出現し、上記ストレーナー３の上部及びケーシング管２の内面に沿って減圧部を形成するから、一旦ストレーナー３の外側に入った目詰り固形物及び水は再び集水孔３’からストレーナー３内に矢印ｃ方向に還流し、上記上昇流１１に伴って地上に上昇し、地上１２に設けた排水溝２４（図２）内に溢流し、上記ケーシング管２及びストレーナー３内の水を連続的に地上１２に排出し、この現象に伴って地盤１３内の地下水５はストレーナー３や砂礫材４の間隙４’からケーシング管２内に進入し、ケーシング管２内の停滞水を上昇流１１となし、該停滞水を地下水５と置換し、ストレーナー３の機能を回復する。
【００２８】
上記回復後超高圧ポンプＰ及びエアコンプレッサＡを停止し、配管１８，２０の開閉弁を閉じた後、ボーリング機１４の動作及び上記昇降フック１５の動作により上記スイベル７’及び中空ロッド７を地上１２に上昇し、上記既存井６に揚水管（図示していない）を挿入しポンプ（図示していない）により清水を地上に揚水することができる。
【実施例１】
【００２９】
上記中空ロッド７の下部に腕２５を介して回転振れ防止案内ガイド２６及び内周面清掃ブラシ２７を設け、該ブラシ２７の水平方向回転摺動によりストレーナー３の集水孔３’内の目詰り固形物を補助的に遊離することができる。
【産業上の利用可能性】
【００３０】
本発明は上述の方法によったので上記既存井６におけるストレーナー３の目詰りによる水の停滞を改善し、地盤１３の地下水５がストレーナー３又は砂礫材４を経由して円滑に上記既存井６内に進入し、同時に停滞水を気泡１０によるエアポンプ現象によって地上１２に排出し得るものである。
【図面の簡単な説明】
【００３１】
【図１】本発明による既存井における目詰り清掃状態を示す縦断面図である。
【図２】図１の全体縦断面図である。
【図３】ボーリング機による中空ノズルの回転及び摺動装置を示す側面図である。
【図４】中空ロッド及びスイベル部の縦断面図である。
【図５】中空ロッド及びスイベル部の縦断面図である。
【符号の説明】
【００３２】
１        掘削孔
２        ケーシング管
３        集水部
３’      集水孔
４        砂礫材
５        地下水
６        既存井
７        中空ロッド
８        超高圧水
９        圧力空気
１０      気泡
１１      上昇流
【図１】
2006291467.tif 000003
【図２】
2006291467.tif 000004
【図３】
2006291467.tif 000005
【図４】
2006291467.tif 000006
【図５】
2006291467.tif 000007